(57)【特許請求の範囲】
【請求項１】
プラスチック素材の筐体で覆われた発電装置の内部には、１個のセラミック圧電素子が固定されていて、筐体を貫通して回転自在に取り付けるシャフトには、筐体の外側に１個の平歯車と内側に１個のカムが固定されていて、車輪平歯車と平歯車が噛み合ってカムが回転すると前記セラミック圧電素子を圧したり離れたりすることで発電される電圧を１個の灯火器具に給電し、平歯車に車輪の回転を伝える取り付け板と一体成型された車輪平歯車は車輪の軸近くに固定されていて、自由に曲げられて伸縮のしない１本のワイヤーが発電装置引き離しスイッチと発電装置の筐体の一端に固定されて、発電装置全体を取り付け金具に沿って摺動させて平歯車と車輪平歯車を噛み合わせ、または引き離しの動作を自転車のハンドルに取り付けた発電装置引き離しスイッチのレバーで、容易になし得ることを特徴とする自転車の灯火システム。
【請求項２】
前記灯火器具の内部には、巻き数が異なる一次巻き線と二次巻き線を有する１個の高圧変圧器と、１本の冷陰極放電管が固定されていて、自転車の走行スピードに関係なく一定の強さの輝度で間欠発光させることを特徴とする請求項１に記載の自転車の灯火システム。
【発明の詳細な説明】
【技術分野】
【０００１】本発明は自転車の灯火システムに関する。
【背景技術】
【０００２】発電機のプーリーをタイヤに間欠接触するようにして、ペダルの負荷を低減しライトを点滅させるもの（例えば特許文献１）や、太陽電池と蓄電池とキセノン管を組み合わせた灯火装置（例えば特許文献２）や、走行時の風力でプロペラを回転させて発電機を回し、ＬＥＤを点灯させるもの（例えば特許文献３）や、タイヤに複数の永久磁石を装着し、フレームに発電コイルを取り付けたもの（例えば特許文献４）等が提案されている。
【先行技術文献】
【特許文献】
【０００３】
【特許文献１】特公２００１−２６０９６６
【特許文献２】特公平０９−１４２３５０
【特許文献３】特公２００６−３４１６３９
【特許文献４】実公平０５−０５５７７４
【発明の概要】
【発明が解決しようとする課題】
【０００４】従来の自転車に備わっている灯火装置は、ほとんどが交流発電機と豆電球を使用したもので、自転車の車輪と発電機の回転比が大きく、また発電機のプーリーをタイヤに強く押し付けるために車輪にかかる負荷が大きく、ペダルが重くなって快適に走行することが難しかった。また電池を使用した場合には経済的負担が増えるのと電池交換の煩わしさがあった。
【課題を解決するための手段】
【０００５】本発明に係わる自転車の灯火システムは、１台の発電装置と１個の灯火器具と１個の車輪平歯車と、１枚の取り付け金具と１個の発電装置引き離しスイッチで構成されていて、自転車の車輪に固定した車輪平歯車が発電装置に取り付けられた平歯車を介してカムを回転させ、セラミック圧電素子に作用して電圧を発生させて高圧変圧器に印加し、変換された高電圧を冷陰極放電管に印加して間欠発光させることを特徴とする。
【発明の効果】
【０００６】本発明により構造が簡単で製造コストが安く、既存の自転車にも取り付け可能で、運転中でも容易に発電機の接続または引き離しが出来て、車輪平歯車を自転車の車輪の軸近くに取り付けることにより、大きな回転トルクを得て車輪の負荷を軽減し、走行を快適にする灯火システムを提供することが出来る。
【図面の簡単な説明】
【０００７】
【図１】本発明の実施の形態の実装外観図である。
【図２】同灯火器具の内部の拡大外観図である。
【図３】同発電装置の内部の拡大外観図である。
【図４】同発電装置Ａ−Ａ拡大断面図である。
【図５】同取り付け板の拡大外観図である。
【図６】同取り付け板の裏面の拡大外観図である。
【発明を実施するための形態】
【０００８】以下図面に基づき本発明の実施の形態について説明する。
本発明の自転車の灯火システムは、内部に巻き数が異なる一次巻き線と二次巻き線を有する１個の高圧変圧器５０と、１本の冷陰極放電管５１が固定されている灯火器具１と、プラスチック素材の筐体で覆われた発電装置５の内部には、１個のセラミック圧電素子１００が固定されていて、筐体を貫通して回転自在に取り付けるシャフト１０１には、筐体の外側に１個の平歯車６と内側に１個のカム１０２が固定されている。平歯車６に回転を伝える車輪平歯車２００を一体成型した取り付け板７と、発電装置引き離しスイッチ２とで構成されている。
【０００９】発電装置引き離しスイッチ２は、自転車のハンドルの左右どちらかに固定して取り付けられ、自由に曲げられて伸縮のしない１本のワイヤー３が、発電装置引き離しスイッチ２と発電装置５の筐体の一端に固定されている。
【００１０】セラミック圧電素子１００の正電極と高圧変圧器５０の一次巻き線は１本の電線４で接続されていて、セラミック圧電素子１００の負電極は車体フレーム（金属製）に接続して（図示せず）共用される。
【００１１】取り付け板７はプラスチック素材で一体成型された車輪平歯車２００と、螺子頭が取り付け板７と同一面になるように同じく一体成型された複数個の固定螺子孔２０１と、同数のナット３００は根元部分が折り曲げ可能な形状に一体成型されている。
【００１２】発電装置５の筐体が取り付け金具１０３に沿って摺動可能に組み込まれていて、取り付け金具１０３には、シャフト１０１が貫通して且つ接触しないように楕円形の穴が開けられていて（図示せず）車輪の軸と一緒に自転車のフレームに固定されている。
【００１３】次に作用について説明する。
発電時は車輪平歯車２００と平歯車６が噛み合い、カム１０２が回転するとセラミック圧電素子１００を圧したり離れたりすることで電圧を発生させる。この電圧を高圧変圧器５０の一次巻き線に印加して二次巻き線に変換された高電圧を発生させる。変換された高電圧を冷陰極放電管５１に印加して、自転車の走行スピードに関係なく一定の強さの輝度で間欠発光させる。
【００１４】発電装置５の筐体の外側の底部分には、取り付け金具１０３を挿入する溝が両側に掘り込まれていて、発電装置５全体が取り付け金具１０３に沿って摺動可能で、発電装置引き離しスイッチ２のレバーを左右に動かすことにより、車輪平歯車２００と平歯車６を噛み合わせ、または引き離すことができる。
【００１５】取り付け板７を車輪に取り付けるには、取り付け板７の中心を車輪の中心に合わせて固定螺子孔２０１と、ナット３００の根元の間に車輪のスポークが入るようにしてナット３００を根元から折り曲げ、車輪のスポークを挟むようにしてタッピング螺子で固定する。
【００１６】取り付け板７を車輪の軸近くに取り付けることにより、大きな回転トルクを利用して発電装置５を作動させ、車輪にかかる負荷を軽減してペダルの動作を軽くし快適に走行することができる。
【符号の説明】
【００１７】    １  灯火器具
２  発電装置引き離しスイッチ
３  ワイヤー
４  電線
５  発電装置
６  平歯車
７  取り付け板
５０  高圧変圧器
５１  冷陰極放電管
１００  セラミック圧電素子
１０１  シャフト
１０２  カム
１０３  取り付け金具
２００  車輪平歯車
２０１  固定螺子孔
３００  ナット
【要約】      （修正有）【課題】車輪にかかる負荷が小さくペダルが軽くなって快適に走行でき、電池交換の煩わしさがない自転車の灯火システムを提供する。【解決手段】セラミック圧電素子を内蔵し平歯車６を取り付けた１台の発電装置５と、灯火器具１の内部には高圧変圧器と冷陰極放電管が固定されていて、取り付け板７と一体成型された車輪平歯車と、取り付け金具と発電装置引き離しスイッチ２とで構成されていて、車輪に固定した車輪平歯車が発電装置５に取り付けられた平歯車６を介して発電装置５の内部のカムを回転させ、セラミック圧電素子に作用して電圧を発生させて高圧変圧器の一次巻き線に印加し、二次巻き線に変換された高電圧を冷陰極放電管に印加して、自転車の走行スピードに関係なく一定の強さの輝度で間欠発光させる。【選択図】図１【図１】
0004746151.tif 000002
【図２】
0004746151.tif 000003
【図３】
0004746151.tif 000004
【図４】
0004746151.tif 000005
【図５】
0004746151.tif 000006
【図６】
0004746151.tif 000007